(57)【特許請求の範囲】
【請求項１】
閃光を発する光源と、その光源からの閃光をその被写体へ反射する反射傘とを備え、前記反射傘は、前記光源を被う反射傘本体と、該反射傘本体の両側に形成された開口部を閉塞する側方反射体とを備え、両方の側方反射体は、互いに広がってその側方反射体間の開口寸法が大きくなる望遠撮影姿勢と、互いに接近して開口寸法が小さくなる広角撮影姿勢とに姿勢変更自在に設けられ、光源からの直接光および反射傘からの反射光による前記被写体に対する照射角を変更可能とし、しかも、前記反射傘本体の前面に光学パネルを配置してなる照射角可変ストロボ装置において、最も広角の発光照射角を設定した広角撮影姿勢における側方反射体と当接あるいは近接することにより、前記側方反射体と前記反射傘本体との間の隙間を少なくするように作用する切り起こし片を、反射傘本体を切り起こすことにより形成し、前記光学パネルの発光部側面に、前記側方反射体の移動範囲に略等しい平面部を設けてなることを特徴とする照射角可変ストロボ装置。
【発明の詳細な説明】
【０００１】
【発明の属する技術分野】
本発明は、例えば写真撮影時の人工照明として有用されているストロボ装置に関し、特に発光照射角度を可変する事ができる照射角可変ストロボ装置に関する。
【０００２】
【従来の技術】
被写体を照明できる領域、いわゆる発光照射角度を可変できる照射角ストロボ装置は、種々実用化、あるいは提案されている。
【０００３】
例えば、本願出願人は、特許第３１３２９９１号にて、棒状の閃光放電管と該閃光放電管の長手方向に対向して配された一対の側方反射体とこの一対の側方反射体間に配される断面略半楕円形状の中央板（反射傘本体）とで形成された反射傘とからなる発光部構成において、狭い発光照射角設定時（望遠対応時）、閃光放電管と反射傘との光軸上での距離を縮めると同時に反射傘の長手方向開口幅を広くし、逆に広い発光照射角設定時（広角対応時）、棒状の閃光放電管と反射傘との光紬上での距離を延ばすと同時に反射傘の長手方向開口幅を狭くすることにより、発光照射角を可変する照射角可変ストロボ装置を提案している。
【０００４】
また、本願出願人は、特許第３１６９８３４号にて、上記のような照射角可変ストロボ装置において、その発光部前面に２枚の光学パネルを配置している。すなわち、被写体側の光学パネルの被写体側の面には閃光放電管の長手方向に光を集光するためのシリンドリカルフレネルレンズを形成し、その他面には上記長手方向の光を拡散するための波目ローレツトを形成した光学パネルと、また閃光放電管側の面には同心状のフレネルレンズを、さらにその他面には閃光放電管の短手方向に光を拡散するための波目ローレツトを形成した光学パネルを配置した構成としている。
【０００５】
【発明が解決しようとする課題】
上記それぞれの提案ストロボ装置は、発光照射角の可変を極めてコンパクトな構成で実現することができるものであるが、より広角の発光照射角を設定する場合、ともすれば実写ムラが生じる恐れを有している。
【０００６】
即ち、先の光学パネルを備えた提案ストロボ装置は、発光部側の光学パネルに、閃光放電管の長手方向及び同長手方向に直交する方向に拡散用の波目ローレツトを形成していることから、当然のことながら装置全体としての集光度は比較的低くなる。また、それぞれの提案ストロボ装置の広角対応時には、反射傘５０の長手方向間口を狭くするために、両側の側方反射体５１を移動させていることから、図６に示す如く前記側方反射体５１と反射傘５０の中央板（反射傘本体）５３との間に隙間５５が形成される。
【０００７】
この結果、極めて広角の発光照射角を設定する場合、集光度が比較的低い状況で上記隙間からの漏光を無視することができなくなり、具体的には上記漏光により実写ムラが発生することが考えられる。
【０００８】
本発明は、上記点を考慮したもので、極めて広角の発光照射角を設定する場合においても実写ムラの生じることのない照射角可変ストロボ装置を提供することを課題とする。
【０００９】
【課題を解決するための手段】
本発明に係るストロボ装置は、上記課題を解決するためになされたものであり、閃光を発する光源と、その光源からの閃光をその被写体へ反射する反射傘とを備え、前記反射傘は、前記光源を被う反射傘本体と、該反射傘本体の両側に形成された開口部を閉塞する側方反射体とを備え、両方の側方反射体は、互いに広がってその側方反射体間の開口寸法が大きくなる望遠撮影姿勢と、互いに接近して開口寸法が小さくなる広角撮影姿勢とに姿勢変更自在に設けられ、光源からの直接光および反射傘からの反射光による前記被写体に対する照射角を変更可能とし、しかも、前記反射傘の前面に光学パネルを配置してなる照射角可変閃光装置において、最も広角の発光照射角を設定した広角撮影姿勢における側方反射体と当接あるいは近接することにより、前記側方反射体と前記反射傘本体との間の隙間を少なくするように作用する切り起こし片を、反射傘本体を切り起こすことにより形成し、前記光学パネルの発光部側面に、前記側方反射体の移動範囲に略等しい平面部を設けてなることにある。
【００１０】
そして、側方反射体の広角撮影姿勢において、切り起こし片は、前記側方反射体と前記反射傘本体との間の隙間を少なくするように作用するため、光学パネルの平面部に入射する光を抑制する。また、光学パネルの発光部側面に、前記側方反射体の移動範囲に略等しい平面部を設けていることから、側方反射体と前記反射傘本体との間の隙間を通過した光が平面部に入射しても、平面部は、その光を過剰に集光することがなく、実写ムラの発生を効果的に防止できる。
【００１１】
【発明の実施の形態】
以下、本発明の実施の形態について、図１乃至図５を用いて説明する。
【００１２】
本実施の形態の照射角可変ストロボ装置Ａは、反射傘２の前方に、棒状光源である閃光放電管３から供給される光を拡散および集光制御する光学パネル５を備えている。
【００１３】
前記反射傘２は、左右両側にそれぞれ開口部７を有し、且つ閃光放電管３を被うように図示省略の基台に取り付けられる反射傘本体８と、前記各開口部７を閉塞するように、基台に揺動自在に枢支連結される側方反射体１０とを備えている。
【００１４】
反射傘本体８は、金属板から断面略半楕円形状に形成され、反射傘本体８の両側には、前記開口部７がそれぞれ形成されている。互いの開口部７は、図２に示す如く閃光放電管３側から前方（光学パネル５側）に向けて次第に幅が広くなるテーパー状に形成されている。また、反射傘本体８の上下壁８ａ，８ｂは、図３及び図４に示す如く閃光放電管３の直径方向（上下方向）に広がっており、従って、両方の開口部７も上下方向に向けて幅広になっている。
【００１５】
前記側方反射体１０は、開口部７を略閉塞できるように、開口部７の周縁に略沿う形状を呈している。尚、側方反射体１０の基部には、前記閃光放電管３を逃がす、逃がし凹部１２が形成されている。
【００１６】
図２に示す広角撮影時において、両方の側方反射板１０は、実線で示す如く互いの間隔Ｈ１が狭くなった状態（広角撮影姿勢）となる。また、望遠撮影時において、側方反射板１０は、仮想線で示す如く開口部７を閉塞する状態（望遠撮影姿勢）となる。
【００１７】
前記閃光放電管３は、側方反射体１０の開閉動作に連動して移動するようになっている。即ち、側方反射板１０の互いに接近する広角撮影姿勢時には、閃光放電管３が光学パネル５側に接近移動（閃光放電管３と反射傘２との光紬Ｋ上での距離を延ばす方向に移動）し、反対に、側方反射板１０が互いに広がる望遠撮影姿勢時には、閃光放電管３が光学パネル５側から離間する方向に移動する。このように、本実施の形態の照射角可変ストロボ装置は、前記反射傘２に対する閃光放電管３の位置を変化させると同時に閃光放電管３の長手方向における両方の側方反射体１０間の開口寸法も変更することにより、発光照射角度の可変を行うものである。尚、側方反射体１０の開閉動作や閃光放電管３の移動は、従来公知の照射角制御手段によって制御されるようになっている。
【００１８】
前記反射傘本体８の上下壁部８ａ，８ｂには、反射傘本体８を構成する金属板を内側に向けて切り起こしてなる切り起こし片１３が突設されている。かかる切り起こし片１３が設けられる位置は、最も広角の発光照射角を設定したとき、即ち広角撮影姿勢にある側方反射体１０に接近又は当接する位置に設けられている。また、切り起こし片１３の形状及び大きさは、任意に設定可能である。かかる切り起こし片１３により、側方反射体１０の外周と開口部７の周縁との間に生じる間隙１４を、小さくすることができる。
【００１９】
前記光学パネル５は、図１及び図５に図示しているように、閃光放電管３側から順に配置された第１光学パネル１６と第２光学パネル１７とから形成されている。
【００２０】
第１光学パネル１６は、閃光放電管３側の面に上記閃光放電管３の長手方向に一致する方向に形成され、且つ閃光放電管３の長手方向に直交する方向に対して光拡散作用を有する第１凹状シリンドリカルレンズ１６ａを備えている。尚、図５（ロ）に示すシリンドリカルレンズ１６ａの幅長Ｌ１は、広角撮影姿勢時の両方の側方反射体１０の開口寸法Ｈ１に略等しく設定されていると共に、シリンドリカルレンズ１６ａの両側は、平面部１６ｃとなっている。
【００２１】
従って、平面部１６ｃの幅長Ｌ２は側方反射板１０の移動範囲Ｌ３と略等しくなるように設定されている。尚、平面部１６ｃの幅長Ｌ２が側方反射板１０の移動範囲Ｌ３と略等しいとは、同一の場合と平面部１６ｃの幅長Ｌ２が側方反射板１０の揺動方向の移動範囲Ｌ３よりも若干大きい場合を含む意味であり、よって、平面部１６ｃの面積は、側方反射板１０の移動範囲の領域と略等しいか、あるいはそれ以上に設定するのが好ましい。
【００２２】
また、第１光学パネル１６は、その他面（前面）に図５（イ）に示す如く、二つの頂点１６ｂａ，１６ｂａを有し、上記閃光放電管３から直接あるいは上記反射傘２を介して供給される光を全ての方向に対して集光する集光作用を有するレンズ曲面を同心状に細分化してなる複数のレンズ曲面部から形成された輪帯レンズ１６ｂを備えたフレネルレンズから構成されている。
【００２３】
前記第２光学パネル１７は、前記輪帯レンズ１６ｂと対向する一面に上記第１凹状シリンドリカルレンズ１６ａと直交する方向に形成される第２凹状シリンドリカルレンズ１７ａを備え、他面（前面）に広角撮影姿勢時の両方の側方反射体１０の開口寸法Ｈ１を覆わないように形成され、かつ上記輪帯レンズ１６ｂとは異なる集光作用を有する集光レンズ１７ｂを備えた板状光学部材から形成されている。尚、集光レンズ１７ｂは、閃光放電管３の長手方向に直交する方向の複数のレンズ曲面部のそれぞれ連接してなる帯レンズにて構成できる。
【００２４】
本実施の形態の照射角可変ストロボ装置Ａは、以上のように構成され、次に、その作用について説明する。
【００２５】
先ず、閃光放電管３と光学パネル５が離間し、かつ反射傘２の開口寸法が広い寸法Ｈ２に設定された望遠撮影姿勢において、閃光放電管３から直接あるいは反射傘２を介して上記光学パネル５に供給される光は、第１光学パネル１６の第１凹状シリンドリカルレンズ１６ａにて閃光放電管３の長手方向に直交する方向に対して拡散され、さらに輪帯レンズ１６ｂにて全方向に対して集光される。
【００２６】
次いで第２光学パネル１７の第２凹状シリンドリカルレンズ１７ａにて閃光放電管３の長手方向に対して拡散されて外部に、あるいは拡散された光の内の反射傘２の狭くされた開口寸法Ｈ２を覆わない領域内の光については集光レンズ１７ｂにて上記閃光放電管３の長手方向に対して集光された後に外部に射出されることになる。また、前記第１光学パネル１６の平面部１６ｃに供給される光は、拡散要素を無くしていることから、集光効果が向上し、望遠撮影時の射出光量を向上することができることも本願出願人により確認できている。
【００２７】
一方、閃光放電管３と光学パネル５が接近し、かつ反射傘２の開口寸法が狭い寸法Ｈ１に設定された広角撮影姿勢において、光学パネル５に供給される光は、第１凹状シリンドリカルレンズ１６ａにて閃光放電管３の長手方向に直交する方向に対して拡散され、さらに輪帯レンズ１６ｂにて全方向に対して集光される。次いで、光は集光レンズ１７ｂの影響を受けることなく第２凹状シリンドリカルレンズ１７ａにて閃光放電管３の長手方向に対して拡散された後に外部に射出されることになる。
【００２８】
また、このとき、各側方反射体１０は、斜めの開口部７に対して前方に立ち上がった状態となるため、側方反射体１０と開口部７の周縁とは、図３（ロ）に示す如く側面視において、若干の間隙１４が生じることとなる。しかしながら、前記切り起こし片１３は、平面部１６ｃに入射する光を抑制すると共に、平面部１６ｃを透過する光が過剰に集光されることがないのと相まって、実写ムラの発生を防止できる。
【００２９】
なお、本発明は、前記実施の形態に限定されるものではなく、例えば前記第１光学パネル１６を形成する第１フレネルレンズの輪帯レンズ１６ｂとして二つの頂点１６ｂａ，１６ｂａおよびそれに連なる輪帯レンズ曲面を有する輪帯レンズを採用していたが、頂点は単体であっても３つ以上であって良く、光学パネル５の種類は特に限定されるものではない。
【００３０】
【発明の効果】
以上のように本発明によれば、広角撮影姿勢における側方反射体と当接あるいは近接することにより、前記側方反射体と前記反射傘本体との間の隙間を少なくするように作用する切り起こし片を、反射傘本体を切り起こすことにより形成し、前記光学パネルの発光部側面に、前記側方反射体の移動範囲に略等しい平面部を設けているので、望遠撮影時の射出光量を向上することができ、しかも、平面部に入射する光を抑制すると共に、平面部を透過する光が過剰に集光されることがないのと相まって、実写ムラの発生を防止できる利点がある。
【図面の簡単な説明】
【図１】本発明の一実施形態に係る照射角可変ストロボ装置の概略を示す分解斜視図
【図２】本発明の一実施形態に係る照射角可変ストロボ装置を示す概略断面図
【図３】本発明の一実施形態に係る照射角可変ストロボ装置の側方反射体が広角撮影姿勢にある状態を示す正面図及び断面図
（イ）正面図
（ロ）（イ）のＡ−Ａ線での断面図
【図４】本発明の一実施形態に係る照射角可変ストロボ装置の側方反射体が望遠撮影姿勢にある状態を示す正面図及び断面図
（イ）正面図
（ロ）（イ）のＢ−Ｂ線での断面図
【図５】本発明の一実施形態に係る照射角可変ストロボ装置の第１光学パネルを示す正面図及び背面図
（イ）正面図
（ロ）背面図
【図６】従来例を示す側面図
【符号の説明】
２  反射傘
３  閃光放電管（光源）
５  光学パネル
７  開口部
８  反射傘本体
１０  側方反射体
１３  切り起こし片
１４  間隙
１６ｃ  平面部
【図１】
0003821692.tif 000002
【図２】
0003821692.tif 000003
【図３】
0003821692.tif 000004
【図４】
0003821692.tif 000005
【図５】
0003821692.tif 000006
【図６】
0003821692.tif 000007